(57)【要約】【課題】下地材に釘又はビス等の固定具によって固定され外壁材を固定するための外壁固定具において、その形状及び固定具による固定位置を工夫することにより、外壁材に作用する風圧力によって固定具に作用する引抜き力を低減するとともに、簡略化した形状で、施工性の向上が図れ、長期間にわたっての安定した外壁材の固定状態を保持することができる外壁固定具を提供する。【解決手段】外壁材５１の裏側面に当接する基板部２と、係止部３と、下地材５０の表側面に当接する後背部５と、固定具１０が挿通される固定孔６と、下地材５０へ当接する下支持片部７とを有する外壁固定具１において、後背部５を、係止部３の基部位置と略同一位置から下地材５０側へ向けて立設される水平部５ａと水平部５ａから上方へ向けて延設され下地材５０へ当接する下地材当接部５ｂとから構成し、後背部５の下部に固定孔６を設けた。また、後背部５の上端部に上支持片部８を設けた。【選択図】図４
2005220577.tif 000002
【特許請求の範囲】
【請求項１】
外壁材の裏側面に当接する基板部と、該基板部から外壁材側上方へ向けて屈設され上側の外壁材を係止する上係止部、及び前記基板部から外壁材側下方へ向けて屈設され下側の外壁材を係止する下係止部を備える係止部と、前記基板部から上方へ向けて延設され下地材の表側面に当接する後背部と、該後背部に穿設され固定具が挿通される固定孔と、前記基板部の下端部から下地材側へ向けて立設され下地材へ当接する下支持片部と、を有する外壁固定具において、
前記後背部を、前記係止部の基部位置と略同一位置から下地材側へ向けて立設される水平部と、該水平部から上方へ向けて延設され下地材へ当接する下地材当接部とから構成したことを特徴とする外壁固定具。
【請求項２】
前記固定孔を、前記後背部の下地材当接部の下部に設けたことを特徴とする請求項１に記載の外壁固定具。
【請求項３】
前記後背部の上端部に、該後背部から外壁材側へ向けて立設され外壁材へ当接する上支持片部を設けたことを特徴とする請求項１または請求項２に記載の外壁固定具。
【請求項４】
前記後背部の水平部と下地材当接部との間に、下地材側へ向けて上がる斜面部を設け、該斜面部に前記固定孔を設けたことを特徴とする請求項１に記載の外壁固定具。
【発明の詳細な説明】
【技術分野】
【０００１】
本発明は、合板等の下地材に釘またはビス等の固定具によって固定され、サイディング等の外壁材を固定するための外壁固定具の技術に関する。
【背景技術】
【０００２】
従来から、サイディング材等の外壁材（外装材）を、躯体側に合板等の下地材を介して固定する際に、外壁材を下地材に固定するために用いる釘やビス等の固定具の頭部が外壁材の表面に露出して意匠的な外観を損なわないようにするため、外壁材の取付金具（以下、外壁固定具とする。）を用いた施工方法が広く公知となっている。この外壁固定具は、まず、釘やビス等の固定具によって下地材に固定され、そして、外壁固定具に形成される係止部に外壁材が係止される。つまり、この外壁固定具は、下地材と外壁材との間に介在するとともに、上下に配置される外壁材の接合部において上下の外壁材にまたがって配置される。
このような施工を行う際に用いられる外壁固定具に関して、外壁材の表面と平行方向に流れる風によって生じ、外壁材を下地材から浮き上がらせるように作用する風圧力に対して、外壁材の破壊を防止したり、外壁材の浮き上がりを防止したりする等の効果を発揮するような技術が開示されている（例えば、特許文献１及び特許文献２参照。）。
【０００３】
【特許文献１】特開平１１−２４７３９７号公報
【特許文献２】特開平１０−２８０６４０号公報
【発明の開示】
【発明が解決しようとする課題】
【０００４】
本発明が解決しようとする課題は次のような点である。すなわち、外壁材に前述のような風圧力が作用した際に、外壁材が浮き上がることで外壁材を係止する外壁固定具の係止部が引っ張られることにより、外壁固定具を下地材に固定するための釘やビス等の固定具に引抜き力が作用するが、固定具による外壁固定具の固定位置によってはこの引抜き力が大きくなってしまう点。そして、固定具に作用する引抜き力が大きくなることにより、各外壁固定具における固定具による固定箇所や、外壁固定具による外壁の固定箇所を多くする必要が生じる点である。また、風圧力による外壁材の浮き上がり等に対して外壁固定具の十分な強度を得ようとすると、外壁固定具の形状が複雑になってしまうことがある点である。
【０００５】
前記特許文献１に開示されている外壁固定具においては、釘などの固定具による外壁固定具の下地材への固定位置と、外壁固定具による外壁材の係止位置との距離が、外壁固定具において離れているため、後述するように、風圧力によって固定具に作用する引抜き力が大きくなってしまう。すなわち、特許文献１に示されている外壁固定具は、風圧力による外壁材の浮き上がりそのものを防止するものではなく、外壁固定具の下側部に薄肉部を設けて外壁固定具の強度を部分的に弱め、外壁固定具を外壁材の動きに追従して変形させることにより、外壁材の浮き上がりによって外壁材の接合部に作用する応力の部分的な集中を回避している。これにより、外壁材の破壊を防止しようとするものである。さらに、上側の外壁材を係止する係止部の上端に断面視略円形状の係止部を設けたり、下地材に当接する面の上端に突条を設けたりすることによって、外壁材の破壊防止の効果を得ようとしている。
しかし、このような技術では外壁固定具の形状が複雑なものとなってしまい、また、外壁固定具に形成される薄肉部の強度と、外壁材が浮き上がることによる薄肉部の変形との関係を調整するのも必ずしも容易とは言えない。つまり、この薄肉部が薄すぎると外壁材が浮き上がることによって外壁固定具が肉薄部から破壊される事態が生じ、逆に、厚すぎるとこの発明による効果を十分に得ることができない。
【０００６】
また、前記特許文献２に開示されている外壁固定具においては、外壁固定具を下地材に固定する際の釘打ちによる外壁固定具の変形を防止するため、外壁固定具に下地材の外面に当接する窪み状の中間脚部を設けたり、外壁固定具の強度を高めるため、外壁固定具に各種の補強リブを設けたりしている。そして、釘などの固定具による外壁固定具の下地材への固定位置と、外壁固定具による外壁材の係止位置とが接近することにより、風圧力による外壁材の浮き上がりにともなう外壁固定具の浮き上がりを効果的に防止することができることについて示されている。
しかし、この特許文献２に示されている、外壁固定具の下地材への固定位置と外壁固定具による外壁材の係止位置とが接近することによる効果は、釘打ちによる外壁固定具の変形を防止するためや外壁固定具自体の強度を向上するために設けた前記中間脚部に、釘などの固定具を挿通させる挿通孔を設けることにより得ることができるという、いわば中間脚部を設けることによる付随的な効果となっている。また、この特許文献２に示されている外壁固定具も、中間脚部や各種の補強リブを設けることによって外壁固定具の形状が複雑となっている。さらに、この中間脚部に挿通孔を設けることにより、一つの外壁固定具における釘孔やビス孔の数が増加して施工性の低下につながる場合もある。
【０００７】
そこで、本発明においては、下地材に釘またはビス等の固定具によって固定され外壁材を固定するための外壁固定具において、その形状及び固定具による固定位置などを工夫することにより、外壁材に作用する風圧力によって固定具に作用する引抜き力を低減するとともに、簡略化した形状で、施工性の向上が図れ、長期間にわたっての安定した外壁材の固定状態を保持することができる外壁固定具を提供することを課題とする。
【課題を解決するための手段】
【０００８】
本発明の解決しようとする課題は以上の如くであり、次にこの課題を解決するための手段を説明する。
【０００９】
即ち、請求項１においては、外壁材の裏側面に当接する基板部と、該基板部から外壁材側上方へ向けて屈設され上側の外壁材を係止する上係止部、及び前記基板部から外壁材側下方へ向けて屈設され下側の外壁材を係止する下係止部を備える係止部と、前記基板部から上方へ向けて延設され下地材の表側面に当接する後背部と、該後背部に穿設され固定具が挿通される固定孔と、前記基板部の下端部から下地材側へ向けて立設され下地材へ当接する下支持片部と、を有する外壁固定具において、前記後背部を、前記係止部の基部位置と略同一位置から下地材側へ向けて立設される水平部と、該水平部から上方へ向けて延設され下地材へ当接する下地材当接部とから構成したものである。
【００１０】
請求項２においては、前記固定孔を、前記後背部の下地材当接部の下部に設けたものである。
【００１１】
請求項３においては、前記後背部の上端部に、該後背部から外壁材側へ向けて立設され外壁材へ当接する上支持片部を設けたものである。
【００１２】
請求項４においては、前記後背部の水平部と下地材当接部との間に、下地材側へ向けて上がる斜面部を設け、該斜面部に前記固定孔を設けたものである。
【発明の効果】
【００１３】
本発明の効果として、以下に示すような効果を奏する。
【００１４】
請求項１においては、後背部の下地材への当接面積が増えるため、固定孔を設ける位置、即ち固定具によって外壁固定具を下地材へ固定する位置の自由度が高くなる。これにより、固定具による固定位置を、外壁固定具の係止部による外壁材の係止位置に近付けることが可能となり、外壁材を浮き上がらせる方向に作用する風圧力によって生じる固定具に作用する引抜き力を低減することができるとともに、外壁固定具自体に作用する応力を低減することができるので、外壁固定具自体の強度を向上させるために補強用のリブ等を設ける必要もなく簡略化した形状とすることができる。
また、外壁固定具における後背部の下地材に対する当接面が増加することにより、外壁材を下地材側へ押え付ける方向に作用する風圧力に対して、その力を分散することができ、下支持片部の下地材へのめり込みを防止することができる。これにより、外壁材を押え付ける方向に作用する風圧力によって生じ固定具に作用する引抜き力を低減することができ、安定した外壁材の固定が可能となる。
【００１５】
請求項２においては、外壁材を浮き上がらせる方向に作用する風圧力によって固定具に作用する引抜き力を低減することができるので、固定具の引抜き力に対する相対的な固定力が向上する。これにより、各外壁固定具における固定具による固定箇所を少なくすることができるとともに、外壁固定具による外壁材の固定が安定したものとなるので、外壁固定具による外壁材の固定箇所も少なくすることができる。この結果、施工が簡略化され施工性の向上を図ることができる。
また、外壁固定具自体に作用する応力を低減することができるので、外壁固定具自体の強度を向上させるために補強用のリブ等を設ける必要もなく簡略化した形状とすることができる。
【００１６】
請求項３においては、外壁固定具における下地材と外壁材との間が、下支持片部と、後背部の水平部と、上支持片部とによって支持されることとなるため、外壁材を押え付ける方向に作用する強い風圧力に対しても、外壁材の安定した固定状態を保持することができる。これにより、台風や急な突風などによって外壁材に押し付ける向きの強い風圧力が作用した場合においても、下地材へ当接している外壁固定具の下支持片部の先端部が、下地材へめり込んでしまうこともなく、下地材と外壁材との隙間が部分的に狭くなり、通気性が損なわれたり雨水などの滞留が生じたりすることを防止することができるとともに、意匠的な外観が損なわれることも防止できる。また、外壁材を押し付ける向きに作用する風圧力によって固定具に作用する引抜き力を低減することができる。
つまり、本発明の外壁固定具においては、固定具による外壁固定具の下地材への固定位置と、外壁固定具の係止部による外壁材の係止位置とを接近させることにより、外壁材を浮き上がらせる方向に作用する風圧力によって固定具に作用する引抜き力を低減し、また、上支持片部を設けることにより、外壁材を押し付ける方向に作用する風圧力によって固定具に作用する引抜き力を低減している。すなわち、これら両方の効果によって固定具に作用する引抜き力を低減することができるので、固定具の引抜き力に対する相対的な固定力が向上し、外壁材のガタツキを防止でき、外壁材の安定化した固定状態を長期にわたって保持するこが可能となる。
【００１７】
請求項４においては、固定具を下地材に対して斜下方へ向けて打ち込むことができる。この結果、外壁材が浮き上がる向きに作用する風圧力によって固定具に作用する引抜き力に対しての固定具の固定力が向上し、外壁固定具による一層安定した外壁材の固定が可能となる。
【発明を実施するための最良の形態】
【００１８】
次に、発明の実施の形態を説明する。
図１は本発明の外壁固定具を示す正面図、図２は同じく平面図、図３は同じく右側面図、図４は本発明の外壁固定具を用いた外壁材の固定状態を示す側面図、図５は外壁固定具に作用する力を示す説明図、図６は本発明の外壁固定具の別実施例を示す右側面図、図７は外壁固定具の配置例を示す図、図８は従来の外壁固定具の一例を示す正面図、図９は同じく平面図、図１０は同じく右側面図、図１１は図８から図１０に示す外壁固定具を用いた外壁材の固定状態を示す側面図である。なお、以下の説明においては、外壁固定具において外壁材を係止する側を「前」、下地材に固定される側を「後」とし、外壁固定具による外壁材の係止位置に対して固定具による外壁固定具の下地材への固定位置側を「上」、その反対側を「下」として各部の名称を定義し、説明を行う。
【００１９】
本発明に係る外壁固定具１は、図４に示すように、サイディング材等の外壁材（外装材）５１を、躯体側に合板等の下地材５０を介して固定するために用いられるものであり、下地材５０と外壁材５１との間において、上下に配置される外壁材５１・５１の接合部、即ち下側に配置される外壁材５１の上辺部と上側に配置される外壁材５１の下辺部にまたがって配置される。なお、この外壁固定具１を用いる際、その上下を反対にして配置してもよく、また、外壁固定具１を横向きに配置して左右に配置される外壁材５１・５１の接合部に配置してもよい。また、外壁固定具１は、鋼板、ステンレス鋼板、アルミニウム合金板等の金属板材をプレス加工してなるものであるが、本発明の外壁固定具１を構成する素材は、金属に限定されるものではなく、前記各種金属などと同等、またはそれ以上の強度を有する素材であれば、本発明の効果を得ることができる。
【００２０】
図１から図３に示すように、本発明の外壁固定具１は、外壁材５１の裏側面に当接する基板部２と、この基板部２から前上方へ向けて屈設され上側の外壁材５１を係止する上係止部３ａ・３ａ、及び基板部２から前下方へ向けて屈設され下側の外壁材５１を係止する下係止部３ｂを備える係止部３と、基板部２から上方へ向けて延設され下地材５０の表側面に当接する後背部５と、この後背部５に穿設され、外壁固定具１を下地材５０に固定するための固定具１０が挿通される固定孔６と、基板部２の下端部から後方（下地材５０側）へ向けて立設され下地材５０へ当接する下支持片部７とを有している。
【００２１】
このような外壁固定具１は、釘やビス等の固定具１０を外壁固定具１の後背部５に設けられる固定孔６に挿通するとともに、この固定具１０によって下地材５０に固定される。そして、係止部３の下係止部３ｂを下側の外壁材５１の上辺部に形成される上係止凹部５２ａに係止させ、係止部３の上係止部３ａ・３ａを上側の外壁材５１の下辺部に形成される下係止凹部５２ｂに係止させて外壁材５１を取り付け固定する。つまり、外壁固定具１は、係止部３が上下に配置される外壁材５１・５１の接合部に位置し、基板部２が下側の外壁材５１の裏側面に当接し、後背部５及び下支持片部７の先端部が下地材５０に当接した状態となる。
【００２２】
前記係止部３の上係止部３ａ・３ａは、基板部２の上端部左右両側において折曲げ形成されており、基板部２の上端から前下方へ向けて傾斜され、そこから上方へ向けて屈設され、側面視でクランク状に形成されている。また、係止部３の下係止部３ｂは、基板部２の上端部の略中央部において折曲げ形成されており、基板部２から前方（外壁材５１側）へ向けて略水平に延設され、そこから左右方向の幅を左右両側へ向けて広くするとともに前下方へ向けて屈設されている。これら上係止部３a・３ａ及び下係止部３ｂは、それぞれの基部を基板部２の上端部としており、これら係止部３の基部位置は、側面視において略同一の位置、即ち上下方向において略同一の高さ位置となっている。
【００２３】
前記後背部５は、係止部３の基部位置と略同一位置から後方へ向けて立設される水平部５ａと、この水平部５ａから上方へ向けて延設され下地材５０へ当接する下地材当接部５ｂとから構成されている。
水平部５ａは、基板部２の上端部の左右に設けられている上係止部３ａ・３ａの間において、後方へ向けて略水平方向に折曲げ形成されている。そして、この水平部５ａの後端部から、下地材５０へ当接する下地材当接部５ｂが折曲げ形成され上方へ向けて延設されている。すなわち、本発明の外壁固定具１における後背部５は、基板部２の上端位置から、略水平方向に延設される水平部５ａと、この水平部５ａの後端位置から垂直方向に延設される下地材当接部５ｂとで、側面視略Ｌ字状に形成されている。
【００２４】
このように、後背部５を形成することにより、下地材当接部５ｂが略全面にわたって下地材５０に当接することとなるので、後背部５の下地材５０への当接面積が増えるため、固定孔６を設ける位置、即ち固定具１０によって外壁固定具１を下地材５０へ固定する位置の自由度が高くなる。これにより、固定具１０による固定位置を、外壁固定具１の係止部３による外壁材５１の係止位置に近付けることが可能となり、後述するように、外壁材５１を浮き上がらせる方向に作用する風圧力によって生じる固定具１０に作用する引抜き力を低減することができる。
また、外壁固定具１における後背部５の下地材５０に対する当接面が増加することにより、外壁材５１を下地材５０側へ押え付ける方向に作用する風圧力に対して、その力を分散することができ、下支持片部７の下地材５０へのめり込みを防止することができる。これにより、外壁材５１を押え付ける方向に作用する風圧力によって生じ固定具１０に作用する引抜き力を低減することができ、安定した外壁材５１の固定が可能となる。
【００２５】
ところで、本発明の外壁固定具１においては、外壁固定具１を下地材５０へ固定するための固定具１０が挿通される固定孔６は、後背部５の下地材当接部５ｂに穿設され、この固定孔６が設けられる位置が、外壁固定具１の下地材５０に対する固定位置となる。
そして、本発明の外壁固定具１では、固定孔６を下地材当接部５ｂの下部位置、即ち後背部５の下部に設けている。
【００２６】
このように、外壁固定具１の下地材５０への固定位置となる固定孔６を、後背部５の下部に設けることにより、固定具１０による外壁固定具１の下地材５０への固定位置と、係止部３、即ち外壁固定具１による外壁材５１の係止位置との上下方向の位置が近接することとなり、外壁材５１を浮き上がらせる方向に作用する風圧力によって生じる固定具１０に作用する引抜き力を低減することができる。
以下、この外壁材５１を浮き上がらせる方向に作用する風圧力によって外壁固定具１に作用する力と、固定具１０による外壁固定具１の下地材５０への固定位置との関係について、従来の外壁固定具と比較して説明する。
【００２７】
まず、従来の外壁固定具の場合について説明する。
図８から図１０には、従来の外壁固定具の一例を示している。この従来の外壁固定具１０１は、外壁材の裏側面に当接する基板部１０２と、この基板部１０２の略中央部から前上方へ向けて屈設され上側の外壁材５１を係止する上係止部１０３ａ、及び基板部１０２の左右両側から前下方へ向けて屈設され下側の外壁材５１を係止する下係止部１０３ｂ・１０３ｂを備える係止部１０３と、基板部１０２から後上方へ向けて延設され下地材５０の表側面に当接する後背部１０５と、この後背部１０５に穿設され固定具１０が挿通される固定孔１０６と、基板部１０２の下端部から後方へ向けて立設され下地材５０へ当接する下支持片部１０７とを有している。そして、後背部１０５は、基板部１０２から後上方へ向けて延設される斜面部１０５ａと、この斜面部１０５ａの後端から上方へ向けて延設される下地材当接部１０５ｂとから構成され、この下地材当接部１０５ｂに、前記固定孔１０６が設けられている。
【００２８】
図１１に示すように、外壁固定具１０１も、本発明にかかる外壁固定具１と同様にして、釘やビス等の固定具１０を外壁固定具１０１の後背部１０５に設けられる固定孔１０６に挿通するとともに、この固定具１０によって下地材５０に固定される。そして、係止部１０３の下係止部１０３ｂ・１０３ｂを下側の外壁材５１の上辺部に形成される上係止凹部５２ａに係止させ、上係止部１０３ａを上側の外壁材５１の下辺部に形成される下係止凹部５２ｂに係止させて外壁５１を取り付け固定する。つまり、外壁固定具１０１は、係止部１０３が上下に配置される外壁材５１・５１の接合部に位置し、基板部１０２が外壁材５１の裏側面に当接し、後背部１０５及び下支持片部１０７の先端部が下地材５０に当接した状態となる。
【００２９】
このようにして外壁固定具１０１を用いて取り付けられる外壁材５１に作用し、前述したように外壁材を浮き上がらせる方向の力である風圧力は、上下に配置される外壁材５１・５１の接合部において外壁材５１を浮き上がらせる方向に作用する。これにより、外壁材５１・５１を接合部にて係止している外壁固定具１０１の係止部１０３には、外壁材５１が浮き上がる方向に引っ張られる力が作用する。この外壁材５１に作用する風圧力によって外壁固定具１０１の係止部１０３に作用する力を風圧力Ｐとする。そして、この風圧力Ｐが外壁固定具１０１に作用すると、外壁固定具１０１が側面視においてその後背部１０５の上端部を支点Ｎとして浮き上がる方向に引っ張られる。これにより、固定具１０には、この固定具１０を引き抜こうとする力（以下、引抜き力Ｖとする。）が作用する。これら風圧力Ｐと引抜き力Ｖとは、風圧力Ｐの大きさをｐ、引抜き力Ｖの大きさをｖとし、支点Ｎと引抜き力Ｖが作用する点（作用点）との上下方向の距離をａ、引抜き力Ｖが作用する点と風圧力Ｐが作用する点（力点）との上下方向の距離をｂとすると、てこの原理より次式（１）の関係を満たす。
ｖ＝{（ａ＋ｂ）／ａ}×ｐ  ・・・（１）
前述のように外壁固定具１０１に風圧力Ｐが作用した場合、固定具１０が引き抜かれないためには、引抜き力Ｖの作用する方向と反対方向の、固定具１０の下地材５０への固定を保持する力（以下、固定力Ｆとする。）が、引抜き力Ｖの大きさｖよりも大きくなくてはならない。しかし、図１１に示すように、従来の外壁固定具１０１においては、固定具１０による下地材５０への固定位置と外壁固定具１０１の係止部１０３による外壁材５１の係止位置とが離れており、支点Ｎと引抜き力Ｖが作用する点との距離ａと比較して、引抜き力Ｖが作用する点と風圧力Ｐが作用する点との距離ｂが長くなっているため、前記式（１）より、引抜き力Ｖが大きくなってしまう。つまり、外壁材５１に強い風圧力が作用すると、外壁材５１が図１１の二点鎖線で示すように浮き上がってしまい、固定具１０が引き出されてしまうこととなる。すなわち、一つの固定具１０の有する固定力Ｆは限られているため、引抜き力Ｖに対応するためには、各外壁固定具１０１における固定具１０による固定箇所を多くしたり、外壁固定具１０１による固定箇所を多くしたりする必要が生じる。これでは、施工の手間がかかり、使用する外壁固定具や固定具の数が増えるためコスト的にも好ましくない。
【００３０】
次に、本発明の外壁固定具１の場合について図５を用いて説明する。
本発明の外壁固定具１においては、前述したように固定孔６が後背部５の下部に設けられているため、固定具１０による外壁固定具１の下地材５０への固定位置が、外壁固定具１の係止部３による外壁材５１の係止位置に近接している。このことを前述の式（１）に対応させると、支点Ｎと引抜き力Ｖが作用する点との距離ａと比較して、引抜き力Ｖが作用する点と風圧力Ｐが作用する点との距離ｂが短くなっているため、固定具１０に作用する引抜き力Ｖが低減されることとなる。
つまり、本発明の外壁固定具１のように、外壁固定具１の下地材５０への固定位置と外壁材５１の係止部３による係止位置とを近付けることにより、前述したような従来の外壁固定具１０１と比較して、式（１）から、固定具１０に作用する引抜き力Ｖの大きさｖが、外壁固定具１の係止部３に作用する風圧力Ｐの大きさｐに近い値となり、外壁材５１を浮き上がらせる方向に作用する風圧力によって固定具１０に作用する引抜き力Ｖが低減される。
【００３１】
以上説明したように、本発明の外壁固定具１においては、外壁材５１を浮き上がらせる方向に作用する風圧力によって固定具１０に作用する引抜き力Ｖを低減することができるので、固定具１０の引抜き力Ｖに対する相対的な固定力Ｆが向上する。これにより、各外壁固定具１における固定具１０による固定箇所を少なくすることができるとともに、外壁固定具１による外壁材５１の固定が安定したものとなるので、外壁固定具１による外壁材５１の固定箇所も少なくすることができる。この結果、施工が簡略化され施工性の向上を図ることができる。
【００３２】
なお、本実施例においては、図１に示すように、固定孔６を略水平方向に等間隔に三箇所設けているが、中央に位置する固定孔にのみを固定具１０によって固定することによっても十分な強度を得ることができる。すなわち、左右両側の固定孔は、下地材５０の素材などによって任意に使用するための補助的なものであり、固定具１０による固定箇所は必要に応じて増減できる。
【００３３】
一方、外壁材５１に対しては、前述した風圧力とは反対方向の外壁材５１を押し付ける方向の風圧力も作用する。この正面から吹き付けられる風による風圧力が外壁材５１に作用した場合、外壁固定具にも下地材５０側へ押し付ける力が作用する。
これに対し、従来の外壁固定具１０１は、図１１に示すように、斜面部１０５ａと下支持片部１０７とで下地材５０と外壁材５１との間を支持することになる。特に、外壁材５１を押し付ける向きの風圧力と同一方向に立設している下支持片部１０７の方に大きな力が作用することとなる。このため、台風や急な突風などによって外壁材５１に押し付ける向きの強い風圧力が作用した場合、下地材５０へ当接している下支持片部１０７の先端部が下地材５０へめり込んでしまう場合も考えられる。このような事態が発生した場合、下地材５０と外壁材５１との隙間が部分的に狭くなり、通気性が損なわれたり雨水などの滞留が生じたりし、外観上においても好ましくない。さらに、このように下支持片部１０７が下地材５０にめり込むことによって、斜面部１０５ａの上端の屈曲部を支点として、固定具１０に対する引抜き力が発生する。
つまり、外壁材５１を押し付けようとする方向の風圧力によって生じる引抜き力と、前述したような外壁材５１を浮き上がらせようとする方向の風圧力によって生じる引抜き力Ｖとが、それぞれ固定具１０に作用することにより、その都度固定具１０が抜ける方向に引っ張られることで、年月が経つにつれて固定具１０が次第に引き出されていくおそれもある。このような状態になると、外壁材５１のガタツキが生じ易くなってしまい、安定した外壁材５１の固定が保持されないこととなる。
【００３４】
そこで、本発明の外壁固定具１においては、基板部２の下端部、即ち外壁固定具１の下端部に設けられている下支持片部７に加えて、後背部５の上端部、即ち外壁固定具１の上端部に上支持片部８を設けている。
この上支持片部８は、後背部５の下地材当接部５ｂの上端部から前方へ向けて立設される水平部８ａと、この水平部８ａから下方へ向けて延設され外壁材５１へ当接する垂直部８ｂとから構成されている。
水平部８ａは、下地材当接部５ｂの上端部から前方へ向けて略水平方向に折曲げ形成されている。そして、この水平部８ａの前端部から、垂直部８ｂが折曲げ形成され下方へ向けて延設されている。すなわち、上支持片部８は、これら水平部８ａと垂直部８ｂとで側面視略Ｌ字状に形成されている。なお、この上支持片部８の垂直部８ｂは、本実施例では水平部８ａを下方に折り曲げて形成されているが、後述する図６に示すような外壁固定具１の別実施例のように、上方へ向けて折り曲げて形成してもよく、また、垂直部８ｂを設けない構成とすることもできる。
【００３５】
このように、外壁固定具１の上部において、上支持片部８を設けることにより、外壁固定具１における下地材５０と外壁材５１との間は、下支持片部７と、前述した後背部５の水平部５ａと、この上支持片部８とによって支持されることとなるため、外壁材５１を押え付ける方向に作用する強い風圧力に対しても、外壁材５１の安定した固定状態を保持することができる。これにより、台風や急な突風などによって外壁材５１に押し付ける向きの強い風圧力が作用した場合においても、下地材５０へ当接している外壁固定具１の下支持片部７の先端部が、下地材５０へめり込んでしまうこともなく、下地材５０と外壁材５１との隙間が部分的に狭くなり、通気性が損なわれたり雨水などの滞留が生じたりすることを防止することができるとともに、意匠的な外観が損なわれることも防止できる。また、前述したような、外壁材５１を押し付ける向きに作用する風圧力によって固定具１０に作用する引抜き力を低減することができる。
【００３６】
つまり、本発明の外壁固定具１においては、固定具１０による外壁固定具１の下地材５０への固定位置と、外壁固定具１の係止部３による外壁材５１の係止位置とを接近させることにより、外壁材５１を浮き上がらせる方向に作用する風圧力によって固定具１０に作用する引抜き力を低減し、また、上支持片部８を設けることにより、外壁材５１を押し付ける方向に作用する風圧力によって固定具１０に作用する引抜き力を低減している。すなわち、これら両方の効果によって固定具１０に作用する引抜き力を低減することができるので、固定具１０の引抜き力Ｖに対する相対的な固定力Ｆが向上し、外壁材５１のガタツキを防止でき、外壁材５１の安定化した固定状態を長期にわたって保持するこが可能となる。
【００３７】
続いて、本発明の外壁固定具１の別実施例について、図６を用いて説明する。なお、前記実施例と同様の機能及び形状を有する部分については、同一の符号を付して説明を省略する。
本実施例の外壁固定具１においては、後背部５は、係止部３の基部位置と略同一位置から後方へ向けて立設される水平部５ａと、この水平部５ａから後上方へ向けて延設される斜面部５ｃと、この斜面部５ｃから上方へ向けて延設され下地材５０へ当接する下地材当接部５ｂとから構成されている。
斜面部５ｃは、水平部５ａの後端部から後上方に折曲げ形成されており、この斜面部５ｃの後端部から、下地材５０へ当接する下地材当接部５ｂが折曲げ形成され上方へ向けて延設されている。つまり、本実施例においては、前記実施例において後背部５を構成する水平部５ａと下地材当接部５ｂとの間に、斜面部５ｃを設けているのである。そして、この斜面部５ｃに、前記固定孔６を設けている。
【００３８】
このように、後背部５の水平部５ａと下地材当接部５ｂとの間に斜面部５ｃを設け、この斜面部５ｃに固定具１０が挿通される固定孔６を設けることにより、図６に示すように、固定具１０を下地材５０に対して斜下方へ向けて打ち込むことができる。この結果、前述したような、外壁材５１が浮き上がる向きに作用する風圧力によって固定具１０に作用する引抜き力Ｖに対しての固定具１０の固定力Ｆが向上し、外壁固定具１による一層安定した外壁材５１の固定が可能となる。
【００３９】
以上説明した、本発明の外壁固定具１の施工状態の配置例を、従来の外壁固定具１０１を用いた場合と比較して図７に示す。
図７には、外壁材の四隅に外壁固定具を配置して、下地材５０に外壁材を上下方向及び左右方向に連続的に施工した状態を示している。
図７（ｂ）には、従来の外壁固定具１０１を用いた場合を示している。この場合の、外壁固定具１０１を用いて下地材５０に安定して固定できる外壁材を、高さ（上下方向の長さ）Ｈ、幅（左右方向の長さ）Ｌの寸法を有する外壁材１５１とする。つまり、従来の外壁固定具１０１を用いた場合、この外壁材１５１の下地材５０へ十分な固定強度を得るためには、外壁材１５１の寸法より、上下方向については距離Ｈ毎、左右方向については距離Ｌ毎に外壁固定具１０１を配置する必要があるということである。
【００４０】
一方、図７（ａ）に示すように、本発明の外壁固定具１を用いて、同図（ｂ）に示した場合と略同じ固定強度を得ようとした場合、下地材５０に固定できる外壁材５１の寸法は、高さ２Ｈ、幅２Ｌとなる。つまり、上下方向については距離２Ｈ毎、左右方向については距離２Ｌ毎に外壁固定具１を配置するだけで、外壁固定具１による外壁材５１の十分な固定強度を得ることができる。すなわち、本発明の外壁固定具１を用いることにより、従来の外壁固定具１０１を用いた場合と比較して、同様にして固定する場合の外壁材の面積を広くすることができる。言い換えると、本発明の外壁固定具１を用いることにより、従来の外壁固定具１０１と比較して、一定面積内における外壁固定具による固定位置を少なくすることができる。
【００４１】
以上説明したように、本発明の外壁固定具１は、その有する形状により、固定具１０による外壁固定具１の下地材５０への固定位置と外壁固定具１の係止部３による外壁材５１の係止位置とを近付けることが可能となり、これにより、風圧力によって固定具１０に作用する引抜き力を低減することができるとともに、外壁固定具１自体に作用する応力を低減することができる。つまり、外壁固定具１自体の強度を向上させるために補強用のリブ等を設ける必要もなく簡略化した形状とすることができる。また、風圧力によって固定具１０に作用する引抜き力を低減することにより、外壁固定具１における風圧力に対する相対的な固定力が向上するので、各外壁固定具１における釘などの固定具１０による下地材５０への固定箇所及び外壁固定具１による外壁材５１の固定箇所を、従来と比較して少なくすることが可能となり、施工性の向上を図ることができるとともに、長期間にわたっての安定した外壁材５１の固定状態を保持することが可能となる。
【図面の簡単な説明】
【００４２】
【図１】本発明の外壁固定具を示す正面図。
【図２】同じく平面図。
【図３】同じく右側面図。
【図４】本発明の外壁固定具を用いた外壁材の固定状態を示す側面図。
【図５】外壁固定具に作用する力を示す説明図。
【図６】本発明の外壁固定具の別実施例を示す右側面図。
【図７】外壁固定具の配置例を示す図。(ａ)は本発明の外壁固定具を用いた場合を示す図。（ｂ）は従来の外壁固定具を用いた場合を示す図。
【図８】従来の外壁固定具の一例を示す正面図。
【図９】同じく平面図。
【図１０】同じく右側面図。
【図１１】図８から図１０に示す外壁固定具を用いた外壁材の固定状態を示す側面図。
【符号の説明】
【００４３】
１      外壁固定具
２      基板部
３      係止部
３ａ    上係止部
３ｂ    下係止部
５      後背部
５ａ    水平部
５ｂ    下地材当接部
６      固定孔
７      下支持片部
８      上支持片部
１０    固定具
５０    下地材
５１    外壁材
【図１】
2005220577.tif 000003
【図２】
2005220577.tif 000004
【図３】
2005220577.tif 000005
【図４】
2005220577.tif 000006
【図５】
2005220577.tif 000007
【図６】
2005220577.tif 000008
【図７】
2005220577.tif 000009
【図８】
2005220577.tif 000010
【図９】
2005220577.tif 000011
【図１０】
2005220577.tif 000012
【図１１】
2005220577.tif 000013